(57)【特許請求の範囲】
【請求項１】
構築物壁面に取り付けられて固定され、正面側が開放したボックス状の囲い枠本体と、この囲い枠本体における正面側の開放部にヒンジ手段により開閉可能に取り付けられ、表示板を保持する額縁状の前方フレームとからなる大型看板装置において、
前記ヒンジ手段が、前記囲い枠本体の前端上部に形成された凹所と、前記前方フレームの背面側上部に形成され、前記凹所に回転可能に嵌合する嵌合部とから構成され、
また、前記前方フレームの嵌合部を部分的に覆うように該前方フレームの先端に突設されたフレーム天板突出部の先端に立設された第１の取付け板と、該第１の取付け板に対向し、かつ前記囲い枠本体の凹部を一部を覆うように突設された囲い枠天板突出部の先端に立設された逆Ｌ字形状の第２の取付け板と、前記第１の取付け板と前記第２の取付け板とを外側から被せるように装着される断面コの字形状のカバーとにより、前記ヒンジ手段を覆い、これにより該ヒンジ手段の外部への露出を防止するようにしたことを特徴とする大型看板装置。
【請求項２】
前記ヒンジ手段を構成する前記凹所が断面弧状の底面を備え、前記前方フレームの背面側上部に形成された前記嵌合部が前記凹所の弧状底面に回転可能に摺動すべく嵌合する断面凸状部で構成されていることを特徴とする請求項１に記載の大型看板装置。
【請求項３】
前記ヒンジ手段を構成する前記囲い枠本体の前記凹所と前記前方フレームの前記嵌合部が、それぞれその全幅に亘って形成され、更に前記カバーも前記ヒンジ手段と同じ幅で形成されていることを特徴とする請求項１又は２に記載の大型看板装置。
【発明の詳細な説明】
【０００１】
【発明の属する技術分野】
本発明は大型看板装置に関し、特に看板装置や標識体或いはこれに類似する装置において、例えばアクリル板等の表示板を保持した額縁状の前方フレームをヒンジ手段を介してボックス状の囲い枠本体に取り付けた大型看板装置に関する。
【０００２】
【従来の技術】
従来、例えば横に長い大型看板装置などは、スーパーマーケットをはじめとして多くの店舗で、その出入り口上部の建物壁面に取り付けられている。一般に、この種の大型看板装置は、横長で、正面側が開放したボックス状の囲い枠本体を店舗である建物壁面に固定し、この囲い枠本体における正面側の開放部に額縁状の前方フレームをヒンジ手段で開閉可能に取り付けて構成されていた。
【０００３】
通常、このような構成の大型看板装置では、前方フレームに表示板であるアクリル板を保持し、囲い枠本体の内部には蛍光灯などの照明器具や、照明器具からの光を前方に反射して有効に活用するための反射板などが取り付けられていた。
【０００４】
そして、この大型看板装置の使用中に囲い枠本体内の照明器具が故障したり、ランプが切れたり、或いは反射板が汚れたりした時に、前方フレームをヒンジ手段を中心として回転して囲い枠本体の正面側開放部をあけ、内部の照明器具の保守点検、ランプ交換、反射板の清掃などを行っている。
【０００５】
【発明が解決しようとする課題】
しかしながら、このように大型看板装置における囲い枠本体内の各種の装置や器具の保守点検のために前方フレームを蝶番のようないわゆる通常のヒンジ装置によって開閉可能とした場合、このヒンジ手段から雨水やごみ等が大型看板装置内に入り込み易いという問題があった。
【０００６】
そのため、従来のこの種の大型看板装置では、囲い枠本体における正面側の開放部周縁にゴム製のシール材を取付け、前方フレーム全体を囲い枠本体の開放部に着脱可能に密着させて緊密に嵌め合わせるようにしたり、或いは下端側にヒンジ装置を取り付けて前方フレームを囲い枠本体に対して回転できるように開閉可能としたりして、種々の工夫をしていた。
【０００７】
しかし、従来のこの種の大型看板装置は、いずれも構造が複雑となって価格が高くなったり、或いは前方フレームの着脱が面倒であったりして、使用者の満足を得られるものではなく、そのため簡単な構造で製造された大型看板装置を庇や軒の下に位置するように建物壁面に取り付けて、雨などに濡れないようにしていた。しかし、大型看板装置を庇や軒下に設置した場合には、宣伝効果としてのインパクトに欠けるという問題もあった。
【０００８】
この発明の目的は、かかる従来の問題点を解決するためになされてもので、構造が簡単で且つ前方フレームの開け閉めが容易で、囲い枠本体の照明器具等の保守点検が簡単迅速にでき、しかも内部に雨水やゴミ等が進入し難いくい大型看板装置を提供することにある。
【０００９】
【課題を解決するための手段】
この発明は、構築物壁面に取り付けられて固定され、正面側が開放したボックス状の囲い枠本体と、この囲い枠本体における正面側の開放部にヒンジ手段により開閉可能に取り付けられ、表示板を保持する額縁状の前方フレームとからなる大型看板装置において、前記ヒンジ手段が、前記囲い枠本体の前端上部に形成された凹所と、前記前方フレームの背面側上部に形成され、前記凹所に回転可能に嵌合する嵌合部とから構成され、また、前記前方フレームの嵌合部を部分的に覆うように該前方フレームの先端に突設されたフレーム天板突出部の先端に立設された第１の取付け板と、該第１の取付け板に対向し、かつ前記囲い枠本体の凹部を一部を覆うように突設された囲い枠天板突出部の先端に立設された逆Ｌ字形状の第２の取付け板と、前記第１の取付け板と前記第２の取付け板とを外側から被せるように装着される断面コの字形状のカバーとにより、前記ヒンジ手段を覆い、これにより該ヒンジ手段の外部への露出を防止するようにしたことを特徴とする。
【００１０】
また、この発明の大型看板装置では、ヒンジ手段を構成する凹所が断面弧状の底面を備え、前方フレームの背面側上部に形成された嵌合部が凹所の弧状底面に回転可能に摺動すべく嵌合する断面凸状部で構成されていることを特徴とする。
【００１１】
更に、この発明の大型看板装置では、ヒンジ手段を構成する囲い枠本体の凹所と前方フレームの嵌合部が、それぞれその全幅に亘って形成され、更にカバーもヒンジと手段と同じ幅で形成されていることを特徴とする。
【００１３】
このように構成されるこの発明の大型看板装置によると、建物壁面に取り付けられた囲い枠本体における正面側開放部に、前方フレームが上部のヒンジ手段を介して回転可能に取り付けられる。すなわち、具体的には、前方フレームの背面側上端部に形成された嵌合部の凸状部が、囲い枠本体の前端上部に形成された凹所内弧状底面に密着するように嵌め込まれることにより、前方フレームがこのヒンジ手段によって囲い枠本体に懸垂即ち吊り下げられるように支持される。
【００１４】
囲い枠本体の前端上部に形成された凹所に嵌合している前方フレームにおける凸状部は、凹所の弧状底面に沿って摺動することから、前方フレームは囲い枠本体に対してこのヒンジ手段を中心として回転可能となり、これにより前方フレームは囲い枠本体における正面側開放部を開閉することができる。
【００１５】
そして、通常は前述したヒンジ手段の上部にこれを覆うようにカバーが被せられて外部へ露出しないようにされているため、雨水が浸入することも、塵埃が侵入することもなく、大型看板装置内は常に清潔に保たれる。
【００１６】
【発明の実施の形態】
次に、本発明の大型看板装置を図に示される実施形態について更に詳しく説明する。図１は、この発明の一実施形態に係る大型看板装置１の全体を示す斜視図であり、図２は図１の大型看板装置１を２−２線に沿って切断して示す断面図であり、図３は図２に示される大型看板装置の一部Ａを拡大して示す部分的な断面図であり、更に図４及び図５は大型看板装置を構成する囲い枠本体と前方フレームとをヒンジ手段で分解し且つこのヒンジ手段の構成要素を拡大して示す断面図である。
【００１７】
図１には、この実施形態に係る大型看板装置１を一ブロックとして、これを２つ連接して配置することで構成された２連接式の大型看板装置Ａが示されている。これら各ブロックである大型看板装置１は同一構成であるので一方のブロックについてその構成を説明する。
【００１８】
図２の断面図から明らかなように、例えばアルミ材などから形成され、正面側が開放したボックス状の囲い枠本体２と、この囲い枠本体２における正面側の開放部にヒンジ手段３により開閉可能に取り付けられ、同様にアルミ材などから形成された額縁状の前方フレーム４とから構成されている。この囲い枠本体２は、その背面板２ａを建物壁面に取り付けて固定される。
【００１９】
他方、前方フレーム４は、アクリル板などのような透光性材料から形成された表示板５の周縁部を収容して保持し得るように内周囲に溝部４ａを形成した額縁状の構造とされている。なお、この前方フレーム４における溝部４ａは、表示板５の周囲表面にがた付き防止と雨水浸入防止のためのスペーサ６を取り付けた状態で緊密に収容可能な大きさ及び形状に設計されている。
【００２０】
このような前方フレーム４を囲い枠本体２の正面側開放部に回転可能に取り付けるためのヒンジ手段３は図３に拡大して示されている。このヒンジ手段３を分解して示す図４及び図５から明らかなように、当該ヒンジ手段３は囲い枠本体２の前端上部に形成された雌側の凹所１０ａと、前方フレーム４の背面側上部に形成され、前記凹所１０ａに回転可能に嵌合する雄側の嵌合部１１ａとから構成されている。
【００２１】
すなわち、ヒンジ手段３を構成する凹所１０ａは、その断面形状がほぼ半円形を呈し、従ってその底面部１０ｂは半円形状の湾曲面で形成されている。そして、この凹所１０ａは囲い枠本体２の全幅に亘って形成されていることから、樋のように溝状を呈している。他方、嵌合部１１ａも、同様にその断面形状は、凹所１０ａの湾曲底面部１０ｂに一致する形状の断面リング状を呈している。
【００２２】
そして、この嵌合部１１ａも凹所１０ａのほぼ全幅に亘って嵌合するように同様に横長に形成されている。このような断面リング状の嵌合部１１ａは、その長手方向に沿う一側部を前方フレーム４の背面側上部に一体的に連結した状態で設けられている。更に、嵌合部１１ａの一側部を前方フレーム４の背面側上部に連結した部分即ち交差部からは、前方フレーム４の天板４ｂが嵌合部１１ａの上方に現出している凹部を部分的に覆うようにそのまま突出してフレーム天板突出部１１ｂを構成している。
【００２３】
そして、このフレーム天板突出部１１ｂの先端からは、後述するカバー７を取り付けるための第１の取付け板８が前方フレーム４の全幅に亘って立設して一体的に設けられている。同様に、囲い枠本体２の天板２ｂも、当該囲い枠本体２の前端上部に形成された凹所１０ａの一部を覆うようにそのまま突出して囲い枠天板突出部１０ｃを構成している。そして、この囲い枠天板突出部１０ｃ近傍の天板２ａにも逆Ｌ字形をした第２の取付け板９が囲い枠本体２の全幅に亘って立設して一体的に設けられている。
【００２４】
このように囲い枠本体２の前端上部と前方フレーム４の背面側上部とにそれぞれ設けられた凹所１０ａ及び嵌合部１１ａを構成要素とするヒンジ手段３によって前方フレーム４は囲い枠本体２に開閉可能に取り付けられる。すなわち、前方フレーム４は、ヒンジ手段３を構成する一方の凹所１０ａ内に他方の嵌合部１１ａを入れてその湾曲底面部１０ｂに乗せるようにするだけで懸垂状態に支持されると共に前方フレーム４は囲い枠本体２の正面開放部を完全に閉鎖する状態に位置決めされる。
【００２５】
この時、第１の取付け板８と第２の取付け板９とは、図３から明らかなように所定の間隔をあけて対向していると共に、囲い枠天板突出部１０ｃの先端部とは隙間をあけている。このように対峙する２つの取付け板８、９を外側から被せるように、下向きに開いたコ字形のカバー７が装着される。このカバー７もこれらの取付け板８、９の全幅に亘るような長さで形成されている。
【００２６】
このようにカバー７が、対峙する２つの取付け板８、９を跨ぐように外装されていることにより、雨水のヒンジ手段３への浸入や、後述する前方フレーム４の意図しない開閉を防止することができる。
【００２７】
次に、この実施形態に係る大型看板装置１における前方フレーム４の開閉動作について説明する。例えば、この大型看板装置１の囲い枠本体２内に取り付けられた照明器具（図示せず）のランプを交換するために囲い枠本体２の前面に取付け支持されている前方フレーム４を開けると時、最初にカバー７を外す。
【００２８】
次いで、前方フレーム４の下端部を図２に示されるように矢印１２の方向に回転しながら持ち上げる。すると、前述したようにヒンジ手段３である凹所１０ａの湾曲底面部１０ｂにおける半円形曲率と嵌合部１１ａの湾曲面曲率は完全に一致させて形成されているため、嵌合部１１ａが凹所１０ａの湾曲底面部１０ｂ上を回転摺動して、前方フレーム４を囲い枠本体２に対して懸垂した状態のままこのヒンジ手段３を中心として開くことができる。
【００２９】
なお、前方フレーム４が図２の実線で示される閉鎖位置にある時、この前方フレーム４の下端部は、図示されているような公知の着脱可能な連結締め具１３により囲い枠本体２の下端面としっかりと締結される。
【００３０】
このように本実施形態に係る大型看板装置１では、建物壁面に取り付けられる囲い枠本体２の正面側開放部に開閉可能に取り付けられる前方フレーム４のヒンジ手段３をその上部に構成しても、そこから雨水や塵埃が内部に浸入することがなく、しかも構成が簡単であるため製造が容易で、それほど高価にならないど種々の実用的効果を奏する。
【００３１】
【発明の効果】
以上説明したように、この発明の大型看板装置によれば、建物壁面に固定される囲い枠本体の正面側開放部に、表示板を保持した額縁状の前方フレームをその上部に設けた独特な構成のヒンジ手段により開閉可能に取り付けるようにしたことから、前方フレームの開閉操作が非常に容易でありながら、雨水や塵埃の内部への浸入を防止することができ、しかも構造が簡単なため製造も容易で価格も安価である。
【００３２】
更に、この発明の大型看板装置によれば、前述した構成から明らかなように前方フレームを囲い枠本体に開閉可能に取り付けるのにネジなどを一切使用していないため、その組み立てが実に容易で且つ短時間にできるという優れた効果も奏する。
【図面の簡単な説明】
【図１】この発明の一実施形態に係る大型看板装置を示す斜視図である。
【図２】図１に示される実施形態の大型看板装置を２−２線に沿って切断して示す断面図である。
【図３】図２に示される大型看板装置おけるヒンジ手段を拡大して示す部分的な断面図である。
【図４】図２に示される大型看板装置を構成する囲い枠本体と前方フレームとをヒンジ手段で分解し且つこのヒンジ手段の構成要素の一方のみを拡大して示す断面図である。
【図５】図２に示される大型看板装置を構成する囲い枠本体と前方フレームとをヒンジ手段で分解し且つこのヒンジ手段の構成要素の他方のみを拡大して示す断面図である。
【符号の説明】
１  大型看板装置
２  囲い枠本体
２ａ  背面板
２ｂ  天板
３  ヒンジ手段
４  前方フレーム
４ａ  表示板外周囲部挿入用の溝
４ｂ  天板
５  表示板
６  スペーサ
７  カバー
８  第１の取付け板
９  第２の取付け板
１０ａ  凹所
１０ｂ  湾曲底面部
１０ｃ  囲い枠天板突出部
１１ａ  嵌合部
１１ｂ  フレーム天板突出部
１２  矢印
１３  連結締め具
【図１】
0004135821.tif 000002
【図２】
0004135821.tif 000003
【図３】
0004135821.tif 000004
【図４】
0004135821.tif 000005
【図５】
0004135821.tif 000006